(57)【要約】【課題】限られた空間を最適に利用できる電気プラグコネクタを提供する。【解決手段】電気プラグコネクタ（１０）は２個の別個のコンタクト部材（１７ａ、１７ｂ）を有し、各コンタクト部材（１７ａ、１７ｂ）は、第１対の互いに離隔した平行な細長ウェブと、第１対のウェブに垂直な同じ平面に延在する第２対の細長ウェブとを有する。第１および第２コンタクト部材（１７ａ、１７ｂ）は、両コンタクト部材の第１対のウェブが整列して平らな第１差込チャネル（１８ａ）を画定し、両コンタクト部材（１７ａ、１７ｂ）の第２対のウェブが互いに離隔し互いに対向して、第１差込チャネル（１８ａ）に垂直なかつ交差する平らな第２差込チャネル（１８ｂ）を画定するように、組み立てられる。コンタクト部材はそれらを接触力をもって取り囲む保持部材によって組み立てられた状態で保持される。【選択図】図３
2005135915.tif 000002
【特許請求の範囲】
【請求項１】
２個の別個のコンタクト部材（１７ａ、１７ｂ；１７ａ’、１７ｂ’）を含む電気プラグコネクタであって、各コンタクト部材（１７ａ、１７ｂ；１７ａ’、１７ｂ’）は、第１対の互いに離隔した平行な細長ウェブと、第１対のウェブに垂直な同じ平面に延在する第２対の細長ウェブとを有し、第１および第２コンタクト部材（１７ａ、１７ｂ；１７ａ’、１７ｂ’）は、両コンタクト部材（１７ａ、１７ｂ；１７ａ’、１７ｂ’）の第１対のウェブが整列して第１平坦差込チャネル（１８ａ）を画定し、両コンタクト部材の第２対のウェブが互いに離隔し互いに対向して、第１差込チャネル（１８ａ）に垂直でかつ交差する第２平坦差込チャネル（１８ｂ）を画定するように、組み立てられ、２個の別個のコンタクト部材（１７ａ、１７ｂ；１７ａ’、１７ｂ’）は、コンタクト部材（１７ａ、１７ｂ；１７ａ’、１７ｂ’）を接触力をもって取り囲む保持部材（２０；２０’）によって組み立てられた状態で保持される、電気プラグコネクタ。
【請求項２】
保持部材（２０）がばねワイヤである、請求項１に記載の電気プラグコネクタ。
【請求項３】
保持部材（２０’）が金属リボンである、請求項１に記載の電気プラグコネクタ。
【請求項４】
コンタクト部材（１７ａ、１７ｂ；１７ａ’、１７ｂ’）が、保持部材（２０；２０’）を受け入れるために組み立てられた状態で周囲溝を形成するために互いに整列した外部切込みを有する、請求項１に記載の電気プラグコネクタ。
【請求項５】
各コンタクト部材対（１７ａ、１７ｂ；１７ａ’、１７ｂ’）が２つの一体的に連結された２つのセグメント（１２）を含み、各セグメント（１２）は、第１対の細長ウェブの１つと第２対の細長ウェブの１つとを含む、請求項１に記載の電気プラグコネクタ。
【請求項６】
コンタクト部材（１７ａ、１７ｂ；１７ａ’、１７ｂ’）が金属素材片から打ち抜かれる、請求項１に記載の電気プラグコネクタ。
【請求項７】
コンタクト部材（１７ａ、１７ｂ；１７ａ’、１７ｂ’）が、差込チャネル（１８）の少なくとも１つの中に部分的に係合されたおすコネクタ（２４）の周りに組み立てられ、保持部材（２０；２０’）もまたおすコネクタ（２４）を囲んでこれに係合する、請求項１に記載の電気プラグコネクタ。
【請求項８】
おすコネクタ（２４）は十字形の断面を有し、両差込チャネル（１８ａ、１８ｂ）の中に係合される、請求項７に記載の電気プラグコネクタ。
【発明の詳細な説明】
【技術分野】
【０００１】
本発明は、電気プラグコネクタに関する。
【背景技術】
【０００２】
車両内において利用可能な限られた空間を最適に利用するために、平坦プラグがさまざまな配置方向で取り付けられる。この場合、平坦プラグの配置方向に関してはもとより限定されないことが望まれている。互いに垂直に位置付けられた２つの配置方向に平坦プラグを受け入れることができるプラグコネクタが知られている。
【発明の開示】
【発明が解決しようとする課題】
【０００３】
本発明は、上述の電気プラグコネクタを改善するものである。
【課題を解決するための手段】
【０００４】
この目的のために、電気プラグコネクタは２個の別個のコンタクト部材を有し、各コンタクト部材は、第１対の互いに離隔した平行な細長ウェブと、第１対のウェブに垂直な同じ平面に延在する第２対の細長ウェブとを有する。第１および第２コンタクト部材は、両コンタクト部材の第１対のウェブが整列して平らな第１差込チャネルを画定し、両コンタクト部材の第２対のウェブが互いに離隔し互いに対向して、第１差込チャネルに垂直なかつ交差する平らな第２差込チャネルを画定するように、組み立てられる。２個の別個のコンタクト部材は、コンタクト部材を接触力をもって取り囲む保持部材によって組み立てられた状態で保持される。先ず始めに、この構成はプラグコネクタの別個の構成要素を製造することを単純化し、第２に、平らなプラグを保持するための接触力を保持要素の構成を通じて、例えば弾性保持要素のばね力の選択によって調整することができる。
【０００５】
用語「別個の」とは、プラグコネクタが組み立てられる前にコンタクト部材と保持部材が互いに独立の離れた構成要素であることを意味すると理解されたい。
本発明の好ましい一実施形態では、保持要素はばねワイヤである。この構成要素は製造に容易で安価であり、取付けは速い。保持要素として金属リボンを使用することも同じ利点を伴う。
【０００６】
おすコネクタをばね式に保持することができるように、保持要素を弾性的に構成してばね力を接触表面に伝達することができるか、または保持要素を堅固にして、接触部、例えば平坦プラグにぴったり固定することができる。
【０００７】
本発明の好ましい一実施形態では、コンタクト部材は、互いに整列した外部切込みを有し、保持部材を収容するために組み立てた状態で周囲溝を形成する。特に、弾性保持要素とともに、これは、対応する形状を与えられたおすコネクタ、例えば平坦または十字形プラグのための脱離防止ロック機構の作成を可能にする。この目的のために、おすコネクタは例えば側部溝を有し、おすコネクタが正しい位置にあるときには保持要素はこの側部溝の中にラッチ式にかけられる。おすコネクタは、プラグコネクタが接続される電子装置のボードの上に備えられた接触ピンとすることができる。
【０００８】
いっしょにすると、両差込チャネルは十字形の断面を形成するので、平坦プラグを、互いに垂直に位置付けられた２つの異なる配置方向に収容することができる。もちろん同じ特徴によって、断面が十字形のおすコネクタを挿入することができる。おすコネクタを両差込チャネルの中に係合させることができる。望ましくは、保持要素は脱離防止式にコンタクト部材を囲む。。
【０００９】
各コンタクト部材の対が２つの一体的に連結されたセグメントを含むことは好ましい。コンタクト部材を金属素材片から打ち抜き、次いで変形することができる。
好ましい一実施形態では、コンタクト部材は差込チャネルの少なくとも１つに部分的に係合したおすコネクタの周りに組み立てられ、保持部材もまたおすコネクタを囲んでこれに係合している。本発明のさらなる特徴と利点は、添付の図面を参照した２つの実施形態の下記の説明から結果的に示される。
【発明を実施するための最良の形態】
【００１０】
図１は、４個のセグメント１２から構成された電気プラグコネクタ１０を示す。４個のセグメント１２は本質的に同一である。各セグメント１２は、上端領域１３ならびに下端領域１５（上下は図でみて）にアングル形コンタクトセクション１４を有する。各コンタクトセクション１４上には、互いに向かって先細になった２つの導電性接触表面１６がある。
【００１１】
２つの接合されたセグメント１２は各々、第１コンタクト部材１７ａの対と第２コンタクト部材１７ｂの対を形成する。各コンタクト部材の対１７ａ、１７ｂでは、セグメント１２は、上部接触表面１６と下部接触表面１６との間に配置されたブリッジ１１を介して一体的に連結されている。各ブリッジ１１は、下端領域１５に近い側にスリットを有する。２つのセグメント１２は各々、金属板から接合状態で打ち抜かれて、一対のコンタクト部材１７ａ、１７ｂに形成される。両コンタクト部材１７ａ、１７ｂは実質的に同一である。
【００１２】
各コンタクト部材の対１７ａ、１７ｂは、第１対の互いに離隔した平行な細長ウェブと、第１対のウェブと垂直な同じ平面内に延在する第２対の細長ウェブとを有し、各ウェブは接触表面１６を形成する。コンタクト部材１７ａ、１７ｂは、両コンタクト部材の第１対のウェブが整列して図３において参照番号１８ａが付けられた第１平坦差込チャネルを画定するように、組み立てられる。両コンタクト部材１７ａ、１７ｂの第２ウェブは互いに離隔し互いに対面して、第１差込チャネル１８ａに垂直でこれと交差する第２平坦差込チャネル１８ｂを画定する。差込チャネル１８ａ、１８ｂ、およびこれに加えて図３における各コンタクト部材の対１７ａ、１７ｂの第１および第２対のウェブの命名の仕方は、任意に選択されたもので、逆にすることもできる。
【００１３】
両差込チャネル１８ａ、１８ｂは両方で、十字形の断面を有する差込チャネル１８を形成し、この差込チャネルはコンタクトセクション１４の長手方向延長に平行に延びて、接触表面１６によって画定されている。ウェブはコンタクト部材１７ａ、１７ｂの上端領域と下端領域にそれぞれ備えられ、したがって差込チャネル１８、１８ａ、１８ｂはプラグコネクタ１０の各縦端部１３、１５に備えられている。
【００１４】
平坦プラグの形態をとり得るおすコネクタ２４は、各チャネル１８、１８ａ、１８ｂに挿入することができる。接触表面１６は、おすコネクタ２４とプラグコネクタ１０との間に電気接触を確立する働きをする。平坦プラグの代わりに、図３に示すような十字形断面のおすコネクタ２４を使用することも可能である。おすコネクタ２４は、例えば電子装置のボードの上に配置されたコンタクトピンである。
【００１５】
第１実施形態では、両端部領域１３、１５にある差込チャネル１８は、（図３において破線で示された）平坦プラグと十字形断面のおすコネクタ２４の両方に適応することができる。
【００１６】
２つのコンタクト部材１７ａ、１７ｂは、コンタクト部材１７ａ、１７ｂとは別体の保持要素２０によって接続されている。別個のコンタクト部材１７ａ、１７ｂはここでは保持要素２０のみを介して互いに接合されている。例えば溶接によって作られたさらに別の接続部を不要にすることができる。さらにまた、保持要素２０は脱離防止の様式でコンタクト部材１７ａ、１７ｂをともに保持する。
【００１７】
図示された第１実施形態では、保持要素２０は所定の弾性を有するばねワイヤである。したがって保持要素２０を介して力が直接決定され、この力によって、差込チャネル１８の中に挿入されたプラグは接触表面１６によって保持される。
【００１８】
保持要素２０は、プラグコネクタ１０の下端領域１５の区域に配置されている。ある部分では、保持要素２０は、各セグメント１２中でそこに設けられたセクション２２内にあり、このセクション２２はコンタクトセクション１４の壁を通過するように形成されており、従って保持要素２０は差込チャネル１８の中に突き出るようにになる。このように、保持要素２０はセグメント１２に形成された周囲溝の中にある。
【００１９】
保持要素２０はここでは同時に、脱離防止ロック機構として働く。ばねワイヤの弾性がこの目的のために利用される。おすコネクタ２４の狭い方の側面は各々溝２６を有し、おすコネクタ２４はその挿入端部２７に滑り表面２８を備えている。滑り表面２８は、おすコネクタ２４が差込チャネル１８の中に挿入されるとき、保持要素２０を押し離す。溝２６が保持要素２０に到達するとすぐに、保持部材はスナップ式に戻って、おすコネクタ２４を適所に保持する。
【００２０】
プラグコネクタが、その下端領域１５が例えばボードの上に備えられたおすコネクタの上にある状態で置かれる間、従来の平坦プラグを、プラグコネクタ１０の上端領域１３にある差込チャネル１８、１８ａ、１８ｂの１つの中に挿入することができる。
【００２１】
図示された実施例では、保持要素２０はプラグコネクタ１０の下端領域１５にのみ備えられている。しかし、保持要素２０を上端領域１３および／またはプラグコネクタ１０の中央に備えることも可能である。また、いくつかの保持要素２０を使用することも考えられる。
【００２２】
第２実施形態を図５から８に示す。
第１実施形態の要素と同一の要素は、第１実施形態において使用したものと同じ参照番号で表示されるものとする。
【００２３】
第２実施形態によるプラグコネクタ１０’も同様に、２つのコンタクト部材１７ａ’、１７ｂ’を形成する４つの個別セグメント１２’から構成されている。各コンタクト部材対１７ａ’、１７ｂ’を形成するセグメント１２はブリッジ１１を介して一体的に連結されている。２つのコンタクト部材１７ａ’、１７ｂ’は、別個の保持要素２０’を介してのみ互いに接合されている。この場合には、保持要素２０’は堅固な金属リボンで作られている。
【００２４】
第１実施形態におけると同様に、保持要素２０’は、すなわちこれが差込チャネル１８の中に通じるアングル形コンタクトセクション１４’内の切込み２２の中に突き出るように、プラグコネクタ１０’の下端領域１５の区域に配置されている。
【００２５】
この場合には、２つのコンタクト部材１７ａ、１７ｂがおすコネクタ２４の周りに組み立てられ、次いで保持部材２０’によって取り囲まれ、こうしておすコネクタ２４に固定式および非弾性的に連結されている。金属リボンをクリンピングによってプラグコネクタ１０’に取り付けることができる。
【００２６】
第１実施形態とは対照的に、プラグコネクタ１０’の上端領域１３の上には、コンタクトセクション１４’はアングル形状に構成されてはいないが、互いに並置されて同じ配置方向に対をなして配置された４枚のプレートからなる。
【００２７】
説明した実施形態の特徴は、当業者の裁量で組み合わせることができる。
【図面の簡単な説明】
【００２８】
【図１】第１実施形態における本発明によるプラグコネクタの概略斜視図である。
【図２】図１のプラグコネクタの側面図である。
【図３】図２の線ＩＩＩ−ＩＩＩに沿った断面図である。
【図４】図３の線ＩＶ−ＩＶに沿った断面図である。
【図５】第２実施形態における本発明によるプラグコネクタの概略斜視図である。
【図６】図５のプラグコネクタの側面図である。
【図７】図６の線ＶＩＩ−ＶＩＩに沿った断面図である。
【図８】図７の線ＶＩＩＩ−ＶＩＩＩに沿った断面図である。
【符号の説明】
【００２９】
１０  電気プラグコネクタ
１２  セグメント
１３  上端領域
１４  山形のコンタクトセクション
１５  下端領域
１６  導電性接触表面
１７ａ  第１コンタクト部材
１７ｂ  第２コンタクト部材
１８ａ  第１平坦差込チャネル
１８ｂ  第２平坦差込チャネル
２０  保持要素
２２  セクション
２４  おすコネクタ
２６  溝
２７  挿入端部
２８  滑り表面
【図１】
2005135915.tif 000003
【図２】
2005135915.tif 000004
【図３】
2005135915.tif 000005
【図４】
2005135915.tif 000006
【図５】
2005135915.tif 000007
【図６】
2005135915.tif 000008
【図７】
2005135915.tif 000009
【図８】
2005135915.tif 000010